(57)【要約】【課題】防水具等の部品を新たに設けることなく、雨水等の浸入を抑制できる空気調和機の室外機を提供する。【解決手段】筐体１内に区画された２つの区画のうち一方の区画に送風機室として収納された送風機及び熱交換器１０と、他方の区画に機械室として収納された圧縮機及び膨張弁と、仕切板１ａを跨がって設けられ、送風機、圧縮機及び膨張弁を制御する電気品モジュールユニット１１とを有する空気調和機の室外機１００において、筐体１の圧縮機室側の右側面パネル５の後部に機械室側に凹んで形成される面を、筐体１の背面パネル３の一端部を折り曲げて形成される縦長の折り曲げパネル３ａにより覆って第１空気導入口１２ａとし、さらに、右側面パネル５の後部を凹んで形成される背面パネル３と対向する面を開口して、折り曲げパネル３ａとで第２空気導入口１２ｂを構成する空気取り入れ部１２を設けた。【選択図】図６
2015210020.tif 000002
【特許請求の範囲】
【請求項１】
内部が仕切板により２つに区画された筐体と、
前記２つの区画のうち一方の区画に送風機室として収納された送風機及び熱交換器と、
他方の区画に機械室として収納された少なくとも圧縮機及び膨張弁と、
前記仕切板を跨がって設けられ、前記送風機、圧縮機及び膨張弁を制御する電気品モジュールユニットと
を有する空気調和機の室外機において、
前記筐体の前記圧縮機室側の側面パネルの後部に前記機械室側に凹んで形成される面を、前記筐体の背面パネルの一端部を折り曲げて形成される縦長の折り曲げパネルにより覆って第１空気導入口とし、さらに、前記側面パネルの後部を凹んで形成される前記背面パネルと対向する面を開口して、前記折り曲げパネルとで第２空気導入口を構成する空気取り入れ部を設けたことを特徴とする空気調和機の室外機。
【請求項２】
前記側面パネルは、前記送風機室側の側面パネルよりも奥行きが短く形成された第１側面パネルと、前記第１側面パネルよりも前記機械室側に設置され、一端部が前記背面パネル側に折り曲げられて当該背面パネルの内面に設けられ、他端部が前記第１側面パネルと対向する第２側面パネルとで構成され、
前記空気取り入れ部は、前記第２側面パネルと前記折り曲げパネルとで構成されることを特徴とする請求項１記載の空気調和機の室外機。
【請求項３】
前記第１側面パネルと前記第２側面パネルとの間の空間部を塞ぐように設けられ、室内機と接続する冷媒配管が接続される配管接続部が設けられた接続部支持パネルを備えたことを特徴とする請求項２記載の空気調和機の室外機。
【請求項４】
前記空気取り入れ部は、前記第２側面パネルの縦長方向に複数設けられていることを特徴とする請求項２又は３記載の空気調和機の室外機。
【発明の詳細な説明】
【技術分野】
【０００１】
本発明は、空気調和機の室外機に係わり、さらに詳しくは、圧縮機等が収納された機械室内に空気を取り入れる空気取り入れ部を備えた室外機に関するものである。
【背景技術】
【０００２】
従来の室外機として、室外機の前面パネルに機械室内に外気を取り入れる空気導入口を備えたものがある（例えば、特許文献１参照）。
【先行技術文献】
【特許文献】
【０００３】
【特許文献１】実公昭６３−０１０４２１号公報（第２頁、図１）
【発明の概要】
【発明が解決しようとする課題】
【０００４】
前述した空気調和機の室外機では、送風機の空気吸気口側を前面パネルとし、その前面パネルに空気導入口が設けられていることから、雨天のときには室外機内への雨水等が浸入し、内部の構造部品の腐食や内部に設けられた電気部品の短絡といった製品にとって重大な影響を与える恐れがある。また、雨水等の浸入対策を目的とした防水具を新たに設けることによって、室外機を構成する部品点数が増加することから、構造の複雑化や組立作業の複雑化を招くという課題がある。さらに、前面パネルに外気導入口を設けているため、室外機の意匠性を悪化させる１つの要因となっていた。
【０００５】
本発明は、前記のような課題を解決するためになされたもので、第１の目的は、防水具等の部品を新たに設けることなく、雨水等の浸入を抑制できる空気調和機の室外機を得るものである。
第２の目的は、雨水等の浸入を抑制すると共に、意匠性を悪化させることのない空気調和機の室外機を得るものである。
【課題を解決するための手段】
【０００６】
本発明に係る空気調和機の室外機は、内部が仕切板により２つに区画された筐体と、２つの区画のうち一方の区画に送風機室として収納された送風機及び熱交換器と、他方の区画に機械室として収納された少なくとも圧縮機及び膨張弁と、仕切板を跨がって設けられ、送風機、圧縮機及び膨張弁を制御する電気品モジュールユニットとを有する空気調和機の室外機において、筐体の圧縮機室側の側面パネルの後部に機械室側に凹んで形成される面を、筐体の背面パネルの一端部を折り曲げて形成される縦長の折り曲げパネルにより覆って第１空気導入口とし、さらに、側面パネルの後部を凹んで形成される背面パネルと対向する面を開口して、折り曲げパネルとで第２空気導入口を構成する空気取り入れ部を設けたものである。
【発明の効果】
【０００７】
本発明によれば、筐体の圧縮機室側の側面パネルの後部に機械室側に凹んで形成される面を、筐体の背面パネルの一端部を折り曲げて形成される縦長の折り曲げパネルにより覆って第１空気導入口とし、さらに、側面パネルの後部を凹んで形成される背面パネルと対向する面を開口して、折り曲げパネルとで第２空気導入口を構成する空気取り入れ部を設けている。この空気取り入れ部により、雨水等の浸入対策を目的とする部品を追加することなく、室外機の内部への雨水等の浸入を抑制することができる。
【図面の簡単な説明】
【０００８】
【図１】実施の形態に係る空気調和機の室外機を前方斜めから見て示す外観斜視図。
【図２】図１の室外機を後方斜めから見て示す外観斜視図。
【図３】図１の室外機の右側面図。
【図４】図１の室外機に示す右第１側面パネルを取り外した状態の側面図。
【図５】図４の空気取り入れ部と折り曲げパネルを拡大して示す側面図。
【図６】図５の空気取り入れ部を矢視Ａ−Ａ方向から見て示す横断面図。
【図７】図５及び図６の背面パネルを取り外して示す右第２側面パネルの部分斜視図。
【発明を実施するための形態】
【０００９】
以下に、本発明に係る空気調和機の室外機の実施の形態を図面に基づいて詳細に説明する。なお、この実施の形態により本発明が限定されるものではない。
【００１０】
図１は実施の形態に係る空気調和機の室外機を前方斜めから見て示す外観斜視図、図２は図１の室外機を後方斜めから見て示す外観斜視図、図３は図１の室外機の右側面図である。
【００１１】
空気調和機の室外機１００は、例えばマルチタイプの室外機である。この室外機１００は、内部に仕切板１ａにより２つに区画された機械室及び送風機室を有する直方体形状の筐体１、機械室内に配置された圧縮機、四方弁、膨張弁等の機器、送風機室内に配置された送風機及び熱交換器１０、仕切板１ａ上であって機械室及び送風機室を跨がって設置された電気品モジュールユニット１１、複数の室内機と接続するための配管接続部等で構成されている。熱交換器１０は、送風機の吸引側に設置されている。電気品モジュールユニット１１は、圧縮機、四方弁、膨張弁等の機器、及び送風機を制御する制御基板と、その制御基板を覆う基板ケースとを備えている。基板ケースの機械室側及び送風機室側の各面には、基板ケースの内部に空気を通過させる通風口が設けられている。
【００１２】
筐体１は、円形状に形成された吹出口７が設けられた前面パネル２と、前面パネル２と対向して設置され、前述の機械室の背面を覆う背面パネル３と、筐体１を前方から見て送風機室側の側面に設けられた左側面パネル４と、機械室側の側面に設けられた右側面パネル５と、各パネル２〜５により形成された上部開口を覆う天面パネル６と、圧縮機及び熱交換器１０が設置された底面パネル８とで構成されている。筐体１の背面パネル３を除く面は、四角形状の開口部９となっている。
【００１３】
前述の前面パネル２には、吹出口７を覆って送風機のプロペラファンを保護するファンガード７ａが取り付けられている。右側面パネル５は、奥行きが左側面パネル４と比べ短く形成された右第１側面パネル５ａと、後述する右第２側面パネル５ｂとで構成されている。背面パネル３は、筐体１を後方から見て、左端部が右第２側面パネル５ｂと重なるように直角に折り曲げられた縦長の折り曲げパネル３ａを有している。
【００１４】
右第２側面パネル５ｂは、右第１側面パネル５ａよりも機械室側に設置され、一端部が背面パネル３側に折り曲げられて背面パネル３の内面に設けられ、他端部が右第１側面パネル５ａと対向している。この右第２側面パネル５ｂと右第１側面パネル５ａとの間には、縦長の空間部１３が形成されている。また、右第２側面パネル５ｂには、後述する空気取り入れ部１２が設けられている。
【００１５】
次に、右第２側面パネル５ｂ及び右第２側面パネル５ｂに設けられた空気取り入れ部１２の構成について、図４〜図７を用いて説明する。
図４は図１の室外機に示す右第１側面パネルを取り外した状態の側面図、図５は図４の空気取り入れ部と折り曲げパネルを拡大して示す側面図、図６は図５の空気取り入れ部を矢視Ａ−Ａ方向から見て示す横断面図、図７は図５及び図６の背面パネルを取り外して示す右第２側面パネルの部分斜視図である。
【００１６】
右第２側面パネル５ｂは、図６に示すように、一端部が折り曲げパネル３ａにより形成された角部に嵌合するＬの字形状を成し、他端部が空間部１３を介して右第１側面パネル５ａと対向して設置されている（図２参照）。右第１側面パネル５ａと右第２側面パネル５ｂとの間の空間部１３には、その空間部１３を塞ぐように接続部支持パネル５ｃが取り付けられている。この接続部支持パネル５ｃは、前述した空間部１３の幅寸法と同じ幅を有し、図４に示すように、例えば３台の室内機とそれぞれを繋ぐ冷媒配管が接続される配管接続部１４が縦方向に設けられている。
【００１７】
また、右第２側面パネル５ｂには、図２及び図３に示すように、前述の空気取り入れ部１２が縦方向に例えば４つ設けられている。この空気取り入れ部１２は、図６に示すように、右第２側面パネル５ｂの後部に機械室側に凹んで形成される面が、背面パネル３の折り曲げパネル３ａにより覆われて形成された第１空気導入口１２ａを成し、さらに、右第２側面パネル５ｂの後部を凹んで形成される背面パネル３と対向する面が開口されて、折り曲げパネル３ａとで第２空気導入口１２ｂが形成されている。
【００１８】
前記のように構成された空気調和機の室外機１００においては、送風機が駆動すると、外部の空気は、筐体１の背面の開口部９から吸引されて熱交換器１０を通過し、送風機を介して吹出口７から外部へ吹き出される。熱交換器１０は、暖房運転のときには蒸発器として吸引される空気と熱交換し、冷房運転のときには凝縮器として空気と熱交換する。
【００１９】
送風機の駆動中において、機械室内の空気は、送風機により吹出口７側へ送り込まれる空気によって、電気品モジュールユニット１１を介して誘引される。この空気の誘引作用により、室外機１００の右側面パネル５周辺の空気は、空気取り入れ部１２の第１空気導入口１２ａに取り込まれ、さらに第２空気導入口１２ｂから機械室内に導かれて背面に当たる。そして、機械室内に導かれた空気は上昇して、電気品モジュールユニット１１内を介して送風機室内に引き込まれる。また、雨天のときに雨水の水滴が飛散して空気と共に第１空気導入口１２ａに取り込まれることがあるが、その水滴は、第１空気導入口１２ａに対向する奥の壁面に当たり、直接機械室内に導かれることはない。
【００２０】
以上のように空気取り入れ部１２から機械室内に取り込まれた空気は、機械室の背面に向かっているため、仮に雨水等が第１及び第２空気導入口１２ａ、１２ｂを通じて浸入したとしても、室外機１００の内部に設けられた電気品モジュールユニット１１には影響を与えることはない。このように、空気取り入れ部１２から機械室内に取り込まれた空気が機械室の背面に向かうので、新たに雨水の浸入を抑える防止具等の部品を設けることなく、雨水等の浸入対策を施した構造を有する空気調和機の室外機１００を提供できる。
【００２１】
また、空気取り入れ部１２の手前に配管接続部１４と接続される冷媒配管により、空気取り入れ部１２が冷媒配管で目隠しされる格好となるので、空気取り入れ部１２が意匠性に与える影響は小さくなり、室外機１００そのものの意匠性を損なうことがない。
【符号の説明】
【００２２】
１  筐体、１ａ  仕切板、２  前面パネル、３  背面パネル、３ａ  折り曲げパネル、４  左側面パネル、５  右側面パネル、５ａ  右第１側面パネル、５ｂ  右第２側面パネル、５ｃ  接続部支持パネル、６  天面パネル、７  吹出口、７ａ  ファンガード、８  底面パネル、９  開口部、１０  熱交換器、１１  電気品モジュールユニット、１２  空気取り入れ部、１２ａ  第１空気導入口、１２ｂ  第２空気導入口、１３  空間部、１４  配管接続部、１００  室外機。
【図１】
2015210020.tif 000003
【図２】
2015210020.tif 000004
【図３】
2015210020.tif 000005
【図４】
2015210020.tif 000006
【図５】
2015210020.tif 000007
【図６】
2015210020.tif 000008
【図７】
2015210020.tif 000009